(57)【要約】【課題】ルーバを器具本体から取り外すことなくランプ交換の邪魔にならない位置に移動可能としながらも、ルーバ以外の可動部材を必要としない照明器具を提供する。【解決手段】器具本体３は、一対の端板の内側面に、互いに近づく向きに突出する一対の突出片２３と、各突出片２３の側方から端板に直交する一直線上で互いに近づく向きに突出する一対のピン２５とを有する。ルーバ４は、端板の内側面との対向部位に、突出片２３に係合する係止片１９と、ピン２５が挿入される長孔２４とを有する。長孔２４は、係止片１９および突出片２３が係合した状態でピン２５が配置される固定位置と、係止片１９および突出片２３の係合が解除された状態でピン２５が配置される回転位置とを、ピンが通る幅寸法の縦案内部２４ａおよび横案内部２４ｂで連結するように延長されている。【選択図】図１
2008123987.tif 000002
【特許請求の範囲】
【請求項１】
ランプを保持するソケットを有し天井に一部が埋め込まれる形で取り付けられ下面に矩形状に開口した開口部からランプの光を出射させる器具本体と、器具本体のうちの互いに対向する一対の端板の内側面に各端面をそれぞれ対向させるように開口部に沿って配設されランプからの光の配光を制御するルーバとを備え、器具本体は、前記一対の端板の内側面に、互いに近づく向きに突出する一対の突出片と、各突出片の側方から端板に直交する一直線上で互いに近づく向きに突出する一対のピンとを有し、ルーバは、前記端板の内側面との対向部位に、突出片に係合する係止片と、ピンが挿入される長孔とを有し、係止片と突出片とが係合した状態では突出片およびピンで支持されることによりランプの下面を覆う位置に位置決めされ、係止片と突出片との係合が解除された状態ではピンを中心にランプの下面を覆う位置と開放する位置との間で回動自在にピンによって支持され、長孔は、係止片および突出片が係合した状態でピンが配置される固定位置と、係止片および突出片の係合が解除された状態でピンが配置される回転位置とを、ピンが通る幅寸法の案内部で連結するように前記端板に沿う面内で延長されていることを特徴とする照明器具。
【請求項２】
前記案内部は、前記係止片および前記突出片が係合した状態で前記固定位置から下方に延長された縦案内部と、前記回転位置から側方に延長された横案内部とで構成されていることを特徴とする請求項１記載の照明器具。
【請求項３】
前記長孔は、前記係止片および前記突出片が係合した状態で前記固定位置の一側方に前記回転位置が位置し、係止片は、突出片に係合した状態で突出片のうちの前記一側方側の側面および上面に対向する形状に形成されていることを特徴とする請求項１または請求項２記載の照明器具。
【請求項４】
前記ルーバは、前記器具本体の前記開口部に比べて前記端板に沿う方向の寸法が小さく設定されており、前記係止片および前記突出片が係合した状態で、前記ランプから側方に出た光を開口部から出射させる隙間を器具本体との間に確保する位置に配置されることを特徴とする請求項１ないし請求項３のいずれか１項に記載の照明器具。
【請求項５】
前記ルーバは、前記端板の内側面との対向部位に、端板の内側面に沿う面内で一端部が開放され他端部が前記長孔に連通したスリット孔と、スリット孔を閉鎖することで長孔から前記ピンを抜け止めする閉鎖位置とスリット孔を通して長孔を開放する開放位置との間で移動可能な抜止片と、抜止片を閉鎖位置にばね付勢する復帰ばねとを有することを特徴とする請求項１ないし請求項４のいずれか１項に記載の照明器具。
【請求項６】
前記器具本体は、前記端板の内側面から突出し、端板に沿う面内での前記ルーバの移動時にルーバに接触することにより、ルーバの移動範囲をルーバと前記ランプおよび前記ソケットとが接触しない範囲に規制する規制片を有することを特徴とする請求項１ないし請求項５のいずれか１項に記載の照明器具。 
【発明の詳細な説明】
【技術分野】
【０００１】
本発明は、ランプからの光の配光を制御するルーバを備えた照明器具に関するものである。
【背景技術】
【０００２】
従来から、この種の照明器具として、ランプを保持するソケットを有し天井に一部が埋め込まれる形で取り付けられ下面に矩形状に開口した開口部からランプの光を出射させる器具本体と、器具本体のうちの互いに対向する一対の端板に各端面をそれぞれ対向させるように開口部に沿って配設されるルーバとを備えたものが提供されている。
この照明器具では、ルーバはランプの下面を覆う形で器具本体に取り付けられており、そのため、ランプ交換時にルーバが邪魔になる。ただし、ランプ交換の度にルーバを器具本体から取り外していると、ランプ交換の作業性が悪くなる。
【０００３】
そこで、ルーバを器具本体から取り外すことなくランプ交換の邪魔にならない位置に移動させることができるように、器具本体に対してルーバをランプの下面を覆う位置と開放する位置との間で回動可能に取り付けることが提案されている（たとえば特許文献１参照）。以下に、器具本体に対して回動可能となるルーバの取付手段の一例を図２０および図２１を参照して説明する。
すなわち、器具本体３の前記一対の端板１１には、互いに近づく向きに突出するピン２５と、ピン２５の側方に形成された係止孔（図示せず）とが設けられる。さらに、ルーバ４における前記端板１１との対向面には、前記ピン２５が挿入される孔３２と、前記係止孔に挿抜自在に挿入される係止突起３３とが設けられる。ここで、係止突起３３は図２１（ａ）に示すようにルーバ４における端板１１との対向面（端面）から進退自在に構成されている。この構成によれば、図２１（ｂ）に示すように係止突起３３をルーバ４の端面から突出させて係止孔に挿入した状態で、ルーバ４がランプ５の下面を覆う位置に位置決めされ、一方、係止突起３３を後退させて係止孔から抜いた状態で、ルーバ４がピン２５を中心として回動自在となる。
【特許文献１】特開平４−１３３２０５号公報（第２−３頁）
【発明の開示】
【発明が解決しようとする課題】
【０００４】
しかし、上述した構成では、ランプ５の下面を覆う位置にルーバ４を位置決めする状態とルーバ４を回動自在にする状態とを切り替えるために、ルーバ４以外に係止突起３３のような可動部材を設ける必要がある。そのため、照明器具１の部品点数が増加し、照明器具１の構成が複雑になる。
【０００５】
本発明は上記事由に鑑みて為されたものであって、ルーバを器具本体から取り外すことなくランプ交換の邪魔にならない位置に移動可能としながらも、ルーバ以外の可動部材を必要としない照明器具を提供することを目的とする。
【課題を解決するための手段】
【０００６】
請求項１の発明では、ランプを保持するソケットを有し天井に一部が埋め込まれる形で取り付けられ下面に矩形状に開口した開口部からランプの光を出射させる器具本体と、器具本体のうちの互いに対向する一対の端板の内側面に各端面をそれぞれ対向させるように開口部に沿って配設されランプからの光の配光を制御するルーバとを備え、器具本体は、前記一対の端板の内側面に、互いに近づく向きに突出する一対の突出片と、各突出片の側方から端板に直交する一直線上で互いに近づく向きに突出する一対のピンとを有し、ルーバは、前記端板の内側面との対向部位に、突出片に係合する係止片と、ピンが挿入される長孔とを有し、係止片と突出片とが係合した状態では突出片およびピンで支持されることによりランプの下面を覆う位置に位置決めされ、係止片と突出片との係合が解除された状態ではピンを中心にランプの下面を覆う位置と開放する位置との間で回動自在にピンによって支持され、長孔は、係止片および突出片が係合した状態でピンが配置される固定位置と、係止片および突出片の係合が解除された状態でピンが配置される回転位置とを、ピンが通る幅寸法の案内部で連結するように前記端板に沿う面内で延長されていることを特徴とする。
【０００７】
この構成によれば、ルーバは、係止片と突出片との係合が解除された状態ではピンを中心にランプの下面を覆う位置と開放する位置との間で回動自在にピンによって支持されるので、ルーバを器具本体から取り外すことなくランプ交換の邪魔にならない位置に移動させることができる。しかも、長孔は、係止片および突出片が係合した状態でピンが配置される固定位置と、係止片および突出片の係合が解除された状態でピンが配置される回転位置とを、ピンが通る幅寸法の案内部で連結するように端板に沿う面内で延長されているので、ピンが長孔の案内部を通して固定位置と回転位置との間を移動するようにルーバを端板に沿う面内で平行移動させることにより、ランプの下面を覆う位置にルーバを位置決めする状態とルーバを回動自在にする状態とを切り替えることができる。すなわち、ランプの下面を覆う位置にルーバを位置決めする状態とルーバを回動自在にする状態とを切り替えるために、ルーバ以外に係止突起のような可動部材を設ける必要はない。なお、器具本体へのルーバの取付手段である突出片およびピンはいずれも器具本体の一対の端板から互いに近づく向きに突出されているので、器具本体の外側にルーバの取付手段が突出することはない。
【０００８】
請求項２の発明は、請求項１の発明において、前記案内部が、前記係止片および前記突出片が係合した状態で前記固定位置から下方に延長された縦案内部と、前記回転位置から側方に延長された横案内部とで構成されていることを特徴とする。
【０００９】
この構成によれば、長孔の固定位置から回転位置にピンを移動させる際には、ピンが縦案内部および横案内部を通るようにルーバを上方に押し上げて側方に移動させる必要があるので、ルーバを一方向に移動させる力がルーバに加わっただけで係止片と突出片との係合が解除されてしまうことはなく、結果的に、係止片と突出片との係合が不必要に解除されてしまうことを防止できる。
【００１０】
請求項３の発明は、請求項１または請求項２の発明において、前記長孔が、前記係止片および前記突出片が係合した状態で前記固定位置の一側方に前記回転位置が位置し、係止片が、突出片に係合した状態で突出片のうちの前記一側方側の側面および上面に対向する形状に形成されていることを特徴とする。
【００１１】
この構成によれば、長孔の固定位置から回転位置にピンを移動させる際には、係止片が突出片を乗り越えるようにルーバを上方に押し上げて側方に移動させる必要があるので、ルーバを一方向に移動させる力がルーバに加わっただけで係止片と突出片との係合が解除されてしまうことはなく、結果的に、係止片と突出片との係合が不必要に解除されてしまうことを防止できる。
【００１２】
請求項４の発明は、請求項１ないし請求項３のいずれかの発明において、前記ルーバが、前記器具本体の前記開口部に比べて前記端板に沿う方向の寸法が小さく設定されており、前記係止片および前記突出片が係合した状態で、前記ランプから側方に出た光を開口部から出射させる隙間を器具本体との間に確保する位置に配置されることを特徴とする。
【００１３】
この構成によれば、ランプから側方に出た光はルーバと器具本体との間の隙間を通して開口部から出射されるので、ルーバを設けたことで照明器具からの光の取り出し効率が大幅に低下することはない。
【００１４】
請求項５の発明は、請求項１ないし請求項４のいずれかの発明において、前記ルーバが、前記端板の内側面との対向部位に、端板の内側面に沿う面内で一端部が開放され他端部が前記長孔に連通したスリット孔と、スリット孔を閉鎖することで長孔から前記ピンを抜け止めする閉鎖位置とスリット孔を通して長孔を開放する開放位置との間で移動可能な抜止片と、抜止片を閉鎖位置にばね付勢する復帰ばねとを有することを特徴とする。
【００１５】
この構成によれば、復帰ばねのばね力に抗して抜止片を開放位置に移動させた状態で、スリット孔を通して長孔にピンを挿入することにより、器具本体に対してルーバを取り付けることができ、また、スリット孔を通して長孔からピンを抜くことにより、器具本体からルーバを取り外すことができる。したがって、復帰ばねのばね力により抜止片が閉塞位置にある定常時に器具本体からルーバが外れることはないが、メンテナンス時などで器具本体からルーバを外す必要があるときには、抜止片を開放位置に移動させることで器具本体からルーバを取り外すことが可能になる。
【００１６】
請求項６の発明は、請求項１ないし請求項５のいずれかの発明において、前記器具本体が、前記端板の内側面から突出し、端板に沿う面内での前記ルーバの移動時にルーバに接触することにより、ルーバの移動範囲をルーバと前記ランプおよび前記ソケットとが接触しない範囲に規制する規制片を有することを特徴とする。
【００１７】
この構成によれば、規制片によってルーバがランプおよびソケットに接触しない範囲にルーバの移動範囲が規制されるので、ルーバを移動させる際にルーバがランプやソケットに接触してランプやソケットが破損することを防止できる。
【発明の効果】
【００１８】
本発明は、ルーバを器具本体から取り外すことなくランプ交換の邪魔にならない位置に移動可能としながらも、ピンが長孔の案内部を通して固定位置と回転位置との間を移動するようにルーバを端板に沿う面内で平行移動させることにより、ランプの下面を覆う位置にルーバを位置決めする状態とルーバを回動自在にする状態とを切り替えることができる。すなわち、ランプの下面を覆う位置にルーバを位置決めする状態とルーバを回動自在にする状態とを切り替えるために、ルーバ以外に可動部材を設ける必要はないという利点がある。
【発明を実施するための最良の形態】
【００１９】
（実施形態１）
本実施形態の照明器具１は天井に取り付けられるものであって、図２に示すように、下面に矩形状の開口部２が形成された器具本体３と、器具本体３に取り付けられるルーバ４とを備えている。器具本体３にはランプ５（ここでは直管蛍光ランプ）を保持するソケット６（図１２参照）が収納され、ルーバ４は、器具本体３の開口部２に沿うようにランプ５の下方に配置されランプ５からの光の配光を制御する。本実施形態のルーバ４は、照明器具１の下方からランプ５が直視されることを防止するものであって、開口部２に沿う面内でランプ５の長手方向に直交する幅方向の寸法が開口部２よりも小さく設定されている。
【００２０】
図２に示す器具本体３は、幅方向の中央部の高さ寸法を最大とするように上壁が湾曲した蒲鉾状に形成されており、幅方向の中央部にランプ５が１本装着される。そのため、ルーバ４は、器具本体３の幅方向の中央部に配置される。器具本体３は、天井を構成する天井材８（たとえば天井パネル）に開口された取付穴９に上部を挿入した形で設置される（図１参照）。ここに、器具本体３は、開口部２（下面）を囲む矩形枠状のフレーム１０が形成されており、当該フレーム１０の上面を天井材８における取付穴９の周囲に当接させることにより取付穴８の開口周縁をフレーム１０で覆っている。器具本体３における上壁７および長手方向の両端板１１は反射板として機能し、ランプ５から上方あるいは側方に出射された光を下方に向けて反射する。なお、本実施形態の器具本体３は金属製である。
【００２１】
以下に、ルーバ４の構成について説明する。ルーバ４は、図２に示すように、器具本体３の開口部２に沿う面内で互いに対向する一対の側板１２と両側板１２の各端部同士を連結するルーバエンド１３（図８参照）とで矩形枠状に形成された支持枠１４と、支持枠１４内に配置され側板１２に沿う方向に並ぶように所定間隔で並設された複数枚（ここでは２８枚）のルーバ片１５を有するルーバ本体１６とを備えている。本実施形態のルーバ４は、ルーバ片１５の並ぶ方向に長く形成されている。
【００２２】
ルーバ本体１６は、図３に示すように、複数枚のルーバ片１６における各側板１２に対向する端部同士が帯状の連結片１７で連結される形に１枚の金属板から各ルーバ片１５がそれぞれ切り起こしによって形成されている。つまり、各ルーバ片１５は、それぞれ一対の連結片１７間に架設される形で両端部が連結片１７に連続一体に連結されている。ここに、ランプ５からの光は、両連結片１７の間であってルーバ片１５とルーバ片１５との間を通して器具本体３の開口部２から出射される。ここでは、ルーバ片１５は連結片１７からランプ５とは反対側、つまり下側に切り起こされている。
【００２３】
一対の連結片１７は互いに対向しており、下端縁から互いに近づく向きに突出した２個１組の結合部１７ａが各ルーバ片１５とそれぞれ連結されている。このように複数枚のルーバ片１５を連結片１７で連続一体に連結した構成を採用することによって、複数枚のルーバ片１５が別体である場合に比べて、ルーバ４を組み立てる際に取り扱う部品点数が大幅に減少し組立作業性が向上する。なお、一対の連結片１７の上部からは互いに離れる向きに後述の取付部１８が延出されている。
【００２４】
支持枠１４は、金属板からなり、内側にルーバ本体１６が嵌め込まれるように寸法が設定されている。支持枠１４を構成する一対の側板１２は互いに対向しており、上端縁からは図４に示すように先端部が下方に屈曲された断面Ｌ字状の係止片１９が互いに近づく向きに延出されている。ここに、一対の係止片１９の間の間隔は、ルーバ本体１６における取付部１８以外の部分が通る大きさに設定されており、ルーバ本体１６を図４のように支持枠１４と組み合わせた状態では、取付部１８が係止片１９上に重なる形でルーバ本体１６と支持枠１４とが嵌合する。
【００２５】
ここにおいて、一対の側板１２の各下端縁からは、支持枠１４に組み合わされたルーバ本体１６の連結片１７の下面を覆い隠すカバー部２０が、互いに近づく向きに延出されている。ここでは一対のカバー部２０は、下方ほど間隔が広くなるように斜め上方に延出されている。各カバー部２０の先端部には図５に示すように複数本のスリット２１が形成されている。スリット２１は、ルーバ本体１６のルーバ片１５が差し込まれるものであって、ルーバ片１５の厚み寸法よりもやや大きい幅寸法に形成されるとともに、ルーバ片１５と同じ間隔で形成されている。すなわち、ルーバ本体１６は、ルーバ片１５のみがスリット２１を通してカバー部２０の下面側に突出し、連結片１７がカバー部２０の上方に収まることになる。
【００２６】
この構成によれば、照明器具１の外側からルーバ４を見ても、ルーバ本体１６における連結片１７の結合部１７aはカバー部２０に隠れて見えないので、ルーバ４の見映えがよいという利点がある。また、ルーバ片１５は、カバー部２０のスリット２１に差し込まれるので、外力が加わってもカバー部２０によって変形が防止され、厚み方向の強度を確保することができる。しかも、ルーバ片１５はスリット２１に差し込まれることにより位置決めされるので、ルーバ４の品質が安定する。
【００２７】
また、スリット２１は、図６（ａ）に示すように幅寸法をカバー部２０の先端側ほど広くする案内用のテーパ２１ａを開口端部に形勢することによって、ルーバ片１５を差し込みやすくしてある。ただし、スリット２１の形状は図６（ａ）の例に限るものではなく、たとえば図６（ｂ）のようにテーパ２１ａに代えて案内用のアール２１ｂを形成してもよい。あるいは、図６（ｃ）に示すように、スリット２１の全長に亘って一定の幅寸法を採用してもよく、この場合には、スリット２１にルーバ片１５を差し込んだ状態でカバー部２０とルーバ片１５との間の隙間が小さくなるので、照明器具１の見映えがさらによくなる。
【００２８】
次に、上述したルーバ４を器具本体３に取り付ける構成について説明する。
【００２９】
ルーバ４の長手方向の寸法は、器具本体３の開口部２の長手方向の寸法と略同じ大きさに設定されており、そのため、ルーバ４を器具本体３内に配置した状態で、ルーバ４の長手方向の両端面は器具本体３の両端板１１の内側面に突き合わされることになる。支持枠１４を構成する一対のルーバエンド１３は、側板１２の長手方向の両端部に設けられることにより、ルーバ４における長手方向の両端面を構成している。各ルーバエンド１３には、図１に示すように、一方の側板１２の上端縁に連続する係止片１９の周囲にそれぞれ切欠２２が形成されており、この切欠２２を通してルーバ４の長手方向の両側方に前記係止片１９が露出する。
【００３０】
ここにおいて、器具本体３の長手方向の両端板１１における内側面には、器具本体３の内側に突出する突出片２３が切り起こしによりそれぞれ形成されている。各突出片２３は、ルーバエンド１３の切欠２２に対応する位置に形成されている。ここで、図７（ａ）に示すように器具本体３の開口部２から器具本体３内にルーバ４を挿入する際に、図１および図７（ｂ）に示すように突出片２３をルーバエンド１３の切欠２２を通して係止片１９に引掛けることによって、器具本体３にルーバ４を組み込んだ状態では突出片２３が係止片１９に係合する。
【００３１】
また、突出片２３を係止片１９に係合させるだけでは、一方の側板１２、つまりルーバ４における幅方向の一端部が器具本体３に保持されるだけであって、ルーバ４は器具本体３に安定して保持されることにはならないから、ルーバ４の幅方向の他端部についても器具本体３に保持させる構造が必要となる。そこで、本実施形態では、図１に示すように、ルーバ４の長手方向の両端面において、前記切欠２２とはルーバ４の幅方向に対称となる位置に長孔２４を形成してある。一方、器具本体３の端板１１において長孔２４に対応する各位置には端板１１に直交する一直線上で互いに近づく向きに突出する円柱状のピン２５が設けられ、このピン２５が長孔２４内に挿入されて係合することによりルーバ４の幅方向の他端部が器具本体３に保持されることとなる。ここでは、ピン２５は器具本体３の外側から端板１１を通して長孔２４内に挿入される。
【００３２】
長孔２４は、後述するランプ５交換時のルーバ４の移動を可能とするように、上下方向に延長された縦案内部２４ａと、縦案内部２４ａの下端縁から湾曲する形で前記切欠２２とは反対側の斜め上方に延出された横案内部２４ｂとでＵ字状に形成された案内部によって両端部が連結されている。縦案内部２４ａおよび横案内部２４ｂの幅寸法はピン２５の外径よりもやや大きく設定されており、そのため、長孔２４内でピン２５が移動できる範囲で器具本体３に対してルーバ４を移動させることができ、また、ピン２５を中心にルーバ４を回転させることによって器具本体３に対してルーバ４を回転させることができる。ピン２５は、図１に示すように突出片２３が係止片１９に係合した状態では、長孔２４における縦案内部２４ａの上端部（以下、固定位置という）に位置する。
【００３３】
一方、従来例として示した図２１の照明器具１では、器具本体３へのルーバ４の取付手段としての係止突起３３が、ルーバ４から器具本体３の外側に突出する構造を採用しているので、図２１（ｂ）に示すように天井材８とルーバ４の取付手段とが高さ方向に重なっていると、器具本体３へのルーバ４の取付手段が天井材８に干渉してしまう。ここで、ルーバ４の取付手段と天井材８との干渉を避けるために、天井材８と取付手段とが高さ方向に重ならないように器具本体３に対するルーバ４の取付位置を上げることが考えられるが、この場合には図２２のように高さ方向におけるランプ５とルーバ４との重なりが大きくなり、ランプ５から側方に出射された光がルーバ４に遮られることにより照明器具１からの光の取り出し効率が大幅に低下することがあるので好ましくない。
【００３４】
これに対して本実施形態では、上述したように、ルーバ４は突出片２３およびピン２５によって器具本体３に保持されており、突出片２３およびピン２５はいずれも器具本体３の端板１１から器具本体３の内側に突出するものであるから、器具本体３へのルーバ４の取付手段が器具本体３の外側に突出することはない。すなわち、器具本体３に対するルーバ４の取付位置をルーバ４と天井材８とが高さ方向に重なる位置まで下げても、器具本体３へのルーバ４の取付手段が天井材８に干渉することはない。
【００３５】
そこで、本実施形態では図１に示すようにルーバ４と天井材８とが高さ方向に重なる位置までルーバ４の取付位置を下げることによって、器具本体３内でルーバ４とランプ５とが高さ方向に重ならないようにしてある。これにより、ルーバ４はランプ５の下面を覆う位置で、ランプ５から側方に出た光を開口部２から出射させる隙間を器具本体１との間に確保する。したがって、ランプ５から側方に出た光はルーバ４の側方を通って開口部２から出射されることとなり、ルーバ４を設けたことで照明器具１からの光の取り出し効率が大幅に下がることはない。
【００３６】
なお、ルーバエンド１３の上面には図８に示すようにルーバ４の長手方向に沿って延長された挿入孔２６が形成されている。この挿入孔２６は、長手方向の中心と支持枠１４の内側寄りの端部との間に他の部位よりも幅寸法の大きい幅広部２６ａを有している。上述した長孔２４は、縦案内部２４ａの上端部がこの挿入孔２６に連通する形に形成されていてもよい。この場合には、挿入孔２６を通して長孔２４内にピン２５を挿入することができるので、器具本体３にルーバ４を組み込む前に予めピン２５を設けておいてもよい。ここで、挿入孔２６の幅広部２６ａの幅寸法に相当する外径のナット２５ａ（図１３参照）をピン２５の先端部に螺合させておいて、ナット２５ａが幅広部２６ａを通るように挿入孔２６から長孔２４内にピン２５を挿入した後、ナット２５ａをピン２５の基端部側に移動させることにより、ナット２５ａによって長孔２４からのピン２５の抜け止めを行うことができる。
【００３７】
ところで、ルーバ４はランプ５の下面を覆っているので、ランプ５交換時にはルーバ４が邪魔になる。しかし、ランプ５交換の度にルーバ４を外していると、ランプ５交換の作業性が悪くなる。そこで、本実施形態の照明器具１では、器具本体３からルーバ４を取り外すことなく、ランプ５交換の邪魔にならないようにルーバ４を移動させることができる構成を採用し、ランプ５交換の作業性をよくしている。以下に、ランプ５交換時のルーバ４の移動について図９を参照して説明する。
【００３８】
図９（ａ）に示すように、ルーバ４がランプ５の下面を覆う位置（以下、使用位置という）にある状態（図１に示した状態と同じ）から、長孔２４の固定位置にあるピン２５が長孔２４の縦案内部２４ａを下方に移動するようにルーバ４を押し上げると、図９（ｂ）に示すようにピン２５が縦案内部２４ａの下端部に達した状態で、係止片１９が突出片２３の上方にずれる。さらに、図９（ｃ）に示すようにピン２５が長孔２４の縦案内部２４ａの下端部から横案内部２４ｂに移動するようにルーバ４を幅方向に押すと、図９（ｄ）に示すように長孔２４における横案内部２４ｂの先端部（以下、回転位置という）にピン２５が配置された状態で、係止片１９が突出片２３の上方から退き、係止片１９と突出片２３との係合が解除される。
【００３９】
つまり、ピン２５が長孔２４における固定位置から回転位置に移動するように端板１１に沿う面内でルーバ４を平行移動させると、係止片１９と突出片２３との係合が解除され、ルーバ４はピン２５を中心として回動自在となる。この状態で、切欠２２を突出片２３から遠ざける向きにピン２５を中心としてルーバ４を回転させると、ルーバ４は、図９（ｅ）に示すように使用位置から略９０度回転した位置（以下、ランプ交換位置という）に移動し、ピン２５のみによって器具本体３に支持される。
【００４０】
このように、ルーバ４を使用位置からランプ交換位置に移動させると、ランプ５の下方が開放されることになるので、ルーバ４を取り外すことなくランプ５交換が可能となる。ランプ５交換後には、上述したルーバ４の移動を逆の手順で逆向きに行うことにより、ルーバ４が図１の使用位置に戻される。なお、図９（ｂ）、（ｃ）のようにルーバ４が使用位置から押し上げられた状態では、ランプ５の下端部がルーバ４の支持枠１４内に挿入されるものの、支持枠１４内にはルーバ本体１６におけるルーバ片１５の上方に空きスペースがあり（図４参照）、ルーバ４にランプ５が接触することはない。
【００４１】
なお、器具本体３に取り付けられるルーバ４は上述した実施形態のものに限らず、たとえば図１０に示すように連結片１７の形状を変更したルーバ４であってもよい。図１０に示す例では、連結片１７は強度を増すために下部が互いに近づく向きに屈曲され、その先端部から結合部１７ａが延出されている。この結合部１７ａは三角形状に形成されている。
【００４２】
また、支持枠１４におけるカバー部２０は、支持枠１４に組み合わせられたルーバ本体１６の連結片１７の下面を覆っていればよく、たとえば、図１１（ａ）のように側板１２の下端縁から支持枠１４の幅方向（図１１（ａ）の左右方向）に沿って延出された形状や、図１１（ｂ）、（ｃ）のように側板１２の下端縁から支持枠１４の幅方向に沿って延出され、且つ先端部が上方に延長された形状などであってもよい。図１１（ｂ）の例では上方に延長された部分にのみスリット２１が形成されており、図１１（ｃ）の例では上方に延長された部分から支持枠１４の幅方向に沿って延出された部分にかけてスリット２１が形成されている。
【００４３】
（実施形態２）
本実施形態の照明器具１は、器具本体３が天井材８と高さ方向に重なる位置にランプ５を保持し、ルーバ４を構成する支持枠１４内にランプ５の下部が配置される点が実施形態１の照明器具１とは相違する。
【００４４】
本実施形態では、ランプ５として高出力形の直管蛍光ランプを採用しており、高出力形でない直管蛍光ランプ（たとえば３２〜４５Ｗ）が誤装着されることのないように、高出力形でない直管蛍光ランプに比べて全長の短いランプ５（ここでは２０ｍｍ短い６４Ｗの高出力ランプ）を採用する。ここで、器具本体３に設けられた一対のソケット６間の距離はランプ５の全長に応じて設定されているので、本実施形態の照明器具１は、高出力形でない直管蛍光ランプを採用する照明器具１に比べると一対のソケット６間の距離が小さく設定される。
【００４５】
一方、照明器具１自身の寿命や故障などにより、既設の照明器具１を新しい照明器具１に交換する必要がある場合を考慮して、器具本体３の外形については、従来の（高出力形でない直管形ランプを採用した）照明器具１と同等のサイズに形成してある。これにより、既設の照明器具１を取り付けていた取付穴９を用いて新規の照明器具１を取り付けることができるので、天井材８に新たな加工をすることなく照明器具１の交換が可能となる。
【００４６】
ここにおいて、本実施形態の照明器具１では、器具本体３の外形が従来の照明器具１と同等であるのに対して、器具本体３の内側に設けられた一対のソケット６間の距離が従来の照明器具１に比べて小さくなっているので、図１２に示すように、器具本体３の長手方向において一対のソケット６の両側、つまり各ソケット６と端板１１との間に隙間Ｃが生じる。そこで、本実施形態ではこの隙間Ｃを利用してルーバ４を取付可能としている。
【００４７】
すなわち、器具本体３は、ソケット６と端板１１との間に、図１３に示すように器具本体３へのルーバ４の取付手段であるピン２５および突出片２３を有している。これにより、ルーバ４を器具本体３に取り付けた状態では、ランプ５の下部がルーバ４の支持枠１４内に挿入される。ただし、支持枠１４内にはルーバ本体１６におけるルーバ片１５の上方に空きスペースがあり（図４参照）、この空きスペース内にランプ５が収まるのでルーバ４にランプ５が接触することはない。なお、図１３の例では、ランプ５からの光を反射する反射板２７が器具本体３内においてランプ５の上面側を覆うように設けられている。
【００４８】
この構成によれば、本実施形態の照明器具１は、器具本体３の外形を既設の照明器具１と同等のサイズにしながらも、ソケット６と器具本体３の端板１１との間に生じた隙間Ｃを利用して、既設の照明器具１の器具本体３には取り付けることができなかったルーバ４が器具本体３に取付可能となる。
【００４９】
ところで、本実施形態では、器具本体３へのルーバ４の取付手段として、実施形態１で説明した取付手段と同様の構成を採用した例を示したが、この構成に限るものではなく、たとえば図１４や図１５に示す取付手段を採用してもよい。
【００５０】
図１４に示す例では、器具本体３の長手方向の両端板１１から器具本体３の内側に突出するねじ受片２８を設けており、当該ねじ受片２８をルーバ４の長手方向の各端面からルーバ４内に挿入し、ルーバ４の下面側からルーバ４を通してねじ受片２８に螺合する取付ねじ２９を締め付けることによって、ルーバ４が器具本体３に取り付けられる。
【００５１】
図１５に示す例では、ルーバ４の長手方向の各端部に取着した取付ばね３０を、器具本体３の長手方向の各端板１１に設けた環状のばね受片３１に下方から挿入することにより、ルーバ４が器具本体３に取り付けられる。取付ばね３０は、図１５（ｂ）に示すように下方に開口するＶ字状のトーションばね３０ａと、トーションばね３０ａの両端部から下方に延出され中央部同士を近づけるように屈曲された一対の保持片３０ｂとで菱形状に形成されており、両保持片３０ｂの先端部がルーバ４に保持される。ここで、ばね受片３１は取付ばね３０をトーションばね３０ａの両端部同士が近づくように変形させた状態で挿入可能となる寸法に形成されている。そして、取付ばね３０は、ばね受片３１に挿入された後、トーションばね３０ａのばね力によってトーションばね３０ａの両端部が開くことにより、保持片３０ｂがばね受片３１に引掛かって抜け止めされる。
【００５２】
その他の構成および機能は実施形態１と同様である。
【００５３】
（実施形態３）
本実施形態の照明器具１は、器具本体３に対してルーバ４を容易に着脱可能とした点、および端板１１に沿う面内でのルーバ４の移動範囲を規制する規制片を器具本体３に設けた点が実施形態１の照明器具１と相違する。
【００５４】
本実施形態では、図１６に示すようにルーバ４における各ルーバエンド１３に、一端部が開放され他端部が長孔２４に連通するスリット孔３４を形成してある。スリット孔３４の幅寸法は長孔２４と同様にピン２５の外径よりもやや大きく設定されている。スリット孔３４の他端部は長孔２４の固定位置（つまり縦案内部２４ａの上端部）に連続しており、縦案内部２４ａの長手方向に沿って延長されている。また、ルーバエンド１３の内側（つまり、ルーバ片１５側）においてルーバ４の長手方向にスリット孔３４と重なる位置には、スリット孔３４を閉鎖する抜止片３５が設けられている。抜止片３５は、ルーバエンド１３に対して一端部が固定ねじ３６で固定された板ばねからなる復帰ばね３７の他端部に一体に形成されている。ここで、抜止片３５は復帰ばね３７によって図１６のように抜止片３５がスリット孔３４を閉鎖する位置（以下、閉鎖位置という）に付勢されており、復帰ばね３７を撓ませながら復帰ばね３７のばね力に抗して長孔２４の縦案内部２４ａに沿って移動可能に構成されている。したがって、抜止片３５が閉鎖位置にある状態では、端板１１の内側面に沿う面内で長孔２４に連通するスリット孔３４が抜止片３５で閉塞されることによりピン２５が長孔２４から抜け止めされ、一方、抜止片３５が図１６における縦案内部２４ａの下方の位置（以下、開放位置という）まで押し下げられた状態では、端板１１の内側面に沿う面内でスリット孔３４を通して長孔２４が開放され、スリット孔３４を通してピン２５が長孔２４に挿抜可能となる。ここで、抜止片３５が閉鎖位置にある状態では、ルーバエンド１３の一部が抜止片３５に接触することで長孔２４から離れる向きの抜止片３５の移動は禁止されている。
【００５５】
以下に、上述した構成のルーバ４の器具本体３への取り付け方（組み込み方）について図１７を参照して説明する。
【００５６】
図１７（ａ）に示すように、スリット孔３４を通してピン２５が長孔２４内に案内されるように器具本体３に対して端板１１に沿う面内でルーバ４を移動させると、抜止片３５がピン２５に押されることで復帰ばね３７を撓ませながら縦案内部２４ａに沿って開放位置まで移動する。この状態で、ピン２５が横案内部２４ｂ内に移動するようにルーバ４を移動させると、ピン２５が抜止片３５を乗り越え、抜止片３５が復帰ばね３７のばね力によって図１７（ｂ）に示すように閉鎖位置に復帰する。これにより、スリット孔２４が抜止片３５で閉塞され、端板１１に沿う面内で長孔２４からのピン２５の抜け止めが為される。この状態で、ルーバ４は実施形態１で説明したランプ交換位置に位置することになるので、図１７（ｃ）に示すように長孔２４における横案内部２４ｂの先端部（回転位置）にピン２５が配置された状態で、切欠２２を突出片２３に近づける向きにピン２５を中心としてルーバ４を回転させ、図１７（ｄ）に示すようにピン２５が長孔２４における回転位置から固定位置（つまり、縦案内部２４ａの上端部）に移動するように端板１１に沿う面内でルーバ４を平行移動させ、図１７（ｅ）のように係止片１９を突出片２３に係合させれば、ランプ５の下面を覆う位置（使用位置）にルーバ４を取り付けることができる。
【００５７】
このように、ルーバ４を端板１１に沿う面内で移動させるだけで器具本体３に対してルーバ４を取り付けることができるので、ピン２５が設けられた器具本体３を天井に取り付けた後で、ルーバ４を取り付けることが可能である。しかも、復帰ばね３７を撓ませて抜止片３５を開放位置に移動させた状態で上述したルーバ４の移動を逆の手順で逆向きに行うことにより、ルーバ４を器具本体３から取り外すことができるから、たとえば照明器具１のメンテナンス時などで器具本体３からルーバ４を取り外す必要があるときには、器具本体３を天井から外さなくてもルーバ４を取り外すことができる。要するに、復帰ばね３７のばね力により抜止片３５が閉塞位置にある定常時には器具本体３からルーバ４が外れることはないが、たとえばルーバ４を洗うときやメンテナンス時などで器具本体３からルーバ４を外す必要があるときには、抜止片３５を開放位置に移動させることで器具本体３からルーバ４を取り外すことが可能となる。
【００５８】
さらに、本実施形態では抜止片３５のうち閉鎖位置において長孔２４側となる端面には、図１６（ｂ）に示すように縦案内部２４ａの幅方向における中央部に凹所３５ａが凹設されている。この凹所３５ａを設けたことにより、ルーバ４が使用位置にある状態で、長孔２４の固定位置にあるピン２５が凹所３５ａに嵌ることによって器具本体３に対し縦案内部２４ａの幅方向にルーバ４が位置決めされる。したがって、ルーバ４を一旦動かして使用位置に戻す場合などに、器具本体３の幅方向におけるルーバ４の位置決めが容易になり、器具本体３の幅方向におけるルーバ４の位置のばらつきを防止することができる。
【００５９】
次に、ルーバ４の移動範囲を規制する規制片について説明する。本実施形態では、図１８に示すように器具本体３の長手方向の両端板１１における内側面においてピン２５とソケット６との間となる位置に、器具本体３の内側に突出した規制片３８が形成されている。図１８に例示する規制片３８は、器具本体３の開口部２に沿う板状となるように切り起こしによって形成されている。なお、図１７では規制片３８の図示を省略している。
【００６０】
上記規制片３８を設けたことにより、端板１１に沿う面内でのルーバ４の移動時に規制片３８がルーバ４とソケット６との間に介在し、ルーバ４が規制片３８に接触することでルーバ４の移動範囲がランプ５やソケット６にルーバ４が接触しない範囲に規制される。すなわち、ピン２５が長孔２４の回転位置にある状態でルーバ４が回転させられるとルーバ４がランプ５やソケット６に接触することはないが、たとえば図１９（ａ）のようにピン２５が長孔２４の固定位置にある状態、あるいは図１９（ｂ）のようにピン２５が横案内部２４ｂの中間付近にある状態でルーバ４が誤って回転させられると、ルーバ４の回転軌道上にランプ５およびソケット６が存在することになり、規制片３８がなければルーバ４がランプ５やソケット６に接触する可能性があるので、本実施形態では規制片３８を設けることでルーバ４がランプ５やソケット６に接触しないようにしてある。これにより、ピン２５が長孔２４の回転位置以外にある図１９（ａ）、（ｂ）の状態で誤ってルーバ４が回転させられることがあっても、図１９に示すようにルーバ４はランプ５やソケット６に接触する前に規制片３８に接触することになり、ランプ５やソケット６へのルーバ４の接触は回避される。したがって、ルーバ４がランプ５やソケット６に接触することによるランプ４やソケット６の破損を防止できるという利点がある。
【００６１】
その他の構成および機能は実施形態１と同様である。
【図面の簡単な説明】
【００６２】
【図１】本発明の実施形態１の構成を示す横断面図である。
【図２】同上の構成を示す斜視図である。
【図３】同上のルーバ本体を示し、（ａ）は上面図、（ｂ）は正面図、（ｃ）は側面図である。
【図４】同上のルーバを示す横断面図である。
【図５】同上の要部の構成を示し、（ａ）は支持枠にルーバ本体を組み込む前の状態の斜視図、（ｂ）は支持枠にルーバ本体を組み込んだ状態の斜視図である。
【図６】同上のスリットの形状の例を示す平面図である。
【図７】同上の構成を示し、（ａ）は器具本体にルーバを組む込む前の状態の縦断面図、（ｂ）は器具本体にルーバを組み込んだ状態の縦断面図である。
【図８】同上の支持枠を示し、（ａ）は上面図、（ｂ）は正面図である。
【図９】同上のランプ交換時のルーバの動作を説明する横断面図である。
【図１０】同上のルーバ本体の他の例の要部を示す斜視図である。
【図１１】同上のルーバの他の例を示す横断面図である。
【図１２】本発明の実施形態２の要部を示す縦断面図である。
【図１３】同上の要部を示し、（ａ）は縦断面図、（ｂ）は横断面図である。
【図１４】同上の他の例の要部を示す縦断面図である。
【図１５】同上のさらに他の例の要部を示し、（ａ）は縦断面図、（ｂ）は横断面図である。
【図１６】本発明の実施形態３のルーバを示す横断面図である。
【図１７】同上の器具本体へのルーバの取付動作を説明する要部の横断面図である。
【図１８】同上の器具本体を示す横断面図である。
【図１９】同上の要部を示す横断面図である。
【図２０】従来例の構成を示す横断面図である。
【図２１】同上の構成を示し、（ａ）は器具本体にルーバを組む込む前の状態の縦断面図、（ｂ）は器具本体にルーバを組み込んだ状態の縦断面図である。
【図２２】他の従来例の要部を示し、（ａ）は横断面図、（ｂ）は縦断面図である。
【符号の説明】
【００６３】
１  照明器具
２  開口部
３  器具本体
４  ルーバ
５  ランプ
６  ソケット
１１  端板
１９  係止片
２３  突出片
２４  長孔
２４ａ  縦案内部
２４ｂ  横案内部
２５  ピン
３４  スリット孔
３５  抜止片
３７  復帰ばね
３８  規制片 
【図１】
2008123987.tif 000003
【図２】
2008123987.tif 000004
【図３】
2008123987.tif 000005
【図４】
2008123987.tif 000006
【図５】
2008123987.tif 000007
【図６】
2008123987.tif 000008
【図７】
2008123987.tif 000009
【図８】
2008123987.tif 000010
【図９】
2008123987.tif 000011
【図１０】
2008123987.tif 000012
【図１１】
2008123987.tif 000013
【図１２】
2008123987.tif 000014
【図１３】
2008123987.tif 000015
【図１４】
2008123987.tif 000016
【図１５】
2008123987.tif 000017
【図１６】
2008123987.tif 000018
【図１７】
2008123987.tif 000019
【図１８】
2008123987.tif 000020
【図１９】
2008123987.tif 000021
【図２０】
2008123987.tif 000022
【図２１】
2008123987.tif 000023
【図２２】
2008123987.tif 000024